(57)【要約】【課題】融資や出資等をより容易に行えるようにすること。【解決手段】情報処理装置が、第１ユーザの資金調達の目的、及び前記第１ユーザの情報の少なくとも一つに基づいて、複数のテーマを決定する処理と、決定した前記複数のテーマのそれぞれに対して前記第１ユーザを対応付ける処理と、第２ユーザにより指定された、前記複数のテーマに含まれる第１テーマに対する第１金額の資金提供の情報を受信する処理と、前記第１金額を、前記第１テーマに対応付けられている前記第１ユーザを含む複数のユーザに分配する処理と、を実行する。【選択図】図４
2020060982.tif 000002
【特許請求の範囲】
【請求項１】
情報処理装置が、
第１ユーザの資金調達の目的、及び前記第１ユーザの情報の少なくとも一つに基づいて、複数のテーマを決定する処理と、
決定した前記複数のテーマのそれぞれに対して前記第１ユーザを対応付ける処理と、
第２ユーザにより指定された、前記複数のテーマに含まれる第１テーマに対する第１金額の資金提供の情報を受信する処理と、
前記第１金額を、前記第１テーマに対応付けられている前記第１ユーザを含む複数のユーザに分配する処理と、を実行する情報処理方法。
【請求項２】
前記受信する処理は、
第３ユーザにより指定された、前記複数のテーマに含まれる第２テーマに対する第２金額の資金提供の情報を受信し、
前記分配する処理は、
前記第２金額を、前記第２テーマに対応付けられている前記第１ユーザを含む複数のユーザに分配して提供し、前記第２ユーザからの資金提供の情報に基づいて前記第１ユーザに分配された金額と、前記第３ユーザからの資金提供の情報に基づいて前記第１ユーザに分配された金額との合計額が前記第１ユーザにより指定された希望金額に到達した場合、前記第１ユーザに前記希望金額の資金を提供する、請求項１に記載の情報処理方法。
【請求項３】
前記決定する処理は、
前記第１ユーザの資金調達の目的、及び前記第１ユーザの情報に基づいて、複数のテーマを決定し、
前記第１ユーザの情報は、前記第１ユーザにより入力された前記第１ユーザの自己紹介文、及び前記第１ユーザの商品の取引履歴の少なくとも一つを含む、請求項１または２に記載の情報処理方法。
【請求項４】
前記第２ユーザにより入力された前記第２ユーザの自己紹介文、及び前記第２ユーザの商品の取引履歴の少なくとも一つに基づいて、前記複数のテーマのうち、前記第２ユーザに通知するテーマを決定する、請求項１から３のいずれか一項に記載の情報処理方法。
【請求項５】
前記第１ユーザの情報に基づいて、前記第１ユーザに対する資金調達の条件を決定し、
決定した前記第１ユーザに対する資金調達の条件に基づいて、前記第１テーマに対する資金提供の特典を決定する、請求項１から４のいずれか一項に記載の情報処理方法。
【請求項６】
第１ユーザの資金調達の目的、及び前記第１ユーザの情報の少なくとも一つに基づいて、複数のテーマを決定し、
決定した前記複数のテーマのそれぞれに対して前記第１ユーザを対応付け、
第２ユーザにより指定された、前記複数のテーマに含まれる第１テーマに対する第１金額の資金提供の情報を受信すると、前記第１金額を、前記第１テーマに対応付けられている前記第１ユーザを含む複数のユーザに分配する制御部を有する情報処理装置。
【請求項７】
情報処理装置に、
第１ユーザの資金調達の目的、及び前記第１ユーザの情報の少なくとも一つに基づいて、複数のテーマを決定する処理と、
決定した前記複数のテーマのそれぞれに対して前記第１ユーザを対応付ける処理と、
第２ユーザにより指定された、前記複数のテーマに含まれる第１テーマに対する第１金額の資金提供の情報を受信する処理と、
前記第１金額を、前記第１テーマに対応付けられている前記第１ユーザを含む複数のユーザに分配する処理と、を実行させるプログラム。
【発明の詳細な説明】
【技術分野】
【０００１】
本開示は、情報処理方法、情報処理装置、及びプログラムに関する。
【背景技術】
【０００２】
近年、インターネット上で不特定多数の人から資金調達するクラウドファンディングという仕組みが知られている。このクラウドファンディングでは、例えば、出資者は、ある商品の開発を行うプロジェクトに出資すると、当該プロジェクトにより開発された商品を購入することができる。また、お金を借りたい一のユーザと、お金を貸したい他のユーザとを結びつける融資仲介サービス（ソーシャルレンディング）も知られている（例えば、特許文献１を参照）。
【先行技術文献】
【特許文献】
【０００３】
【特許文献１】特開２０１０−２３１６６４号公報
【発明の概要】
【発明が解決しようとする課題】
【０００４】
しかしながら、従来技術では、融資や出資等を行いたいユーザが、融資先等を選ぶことが困難な場合があるという問題がある。本開示は、融資や出資等をより容易に行えるようにする技術を提供することを目的とする。
【課題を解決するための手段】
【０００５】
本開示の一実施形態に係る情報処理方法は、情報処理装置が、第１ユーザの資金調達の目的、及び前記第１ユーザの情報の少なくとも一つに基づいて、複数のテーマを決定する処理と、決定した前記複数のテーマのそれぞれに対して前記第１ユーザを対応付ける処理と、第２ユーザにより指定された、前記複数のテーマに含まれる第１テーマに対する第１金額の資金提供の情報を受信する処理と、前記第１金額を、前記第１テーマに対応付けられている前記第１ユーザを含む複数のユーザに分配する処理と、を実行する。
【図面の簡単な説明】
【０００６】
【図１】本開示の一実施形態に係る通信システムの構成を示す図である。
【図２】実施形態に係るサーバ、及び端末のハードウェア構成の一例を示す図である。
【図３】実施形態に係るサーバ、及び端末の機能的な構成を示すブロック図の一例を示す図である。
【図４】実施形態に係る通信システムの処理のシーケンスの一例を示す図である。
【図５Ａ】実施形態に係るユーザ情報の一例について説明する図である。
【図５Ｂ】実施形態に係る資金調達情報の一例について説明する図である。
【図５Ｃ】実施形態に係るテーマ情報の一例について説明する図である。
【図５Ｄ】実施形態に係る資金提供情報の一例について説明する図である。
【図６Ａ】実施形態に係る資金を調達するユーザの端末の表示画面の一例を示す図である。
【図６Ｂ】実施形態に係る資金を提供するユーザの端末の表示画面の一例を示す図である。
【図６Ｃ】実施形態に係る資金を提供するユーザの端末の表示画面の一例を示す図である。
【図７】実施形態に係る資金提供処理の一例を示すフローチャートである。
【発明を実施するための形態】
【０００７】
＜法令遵守＞
本明細書に記載の開示は、実施される場合、本開示を実施する各国の法令を遵守のうえで実施される。また、本明細書に記載の開示は、各国の法令を遵守するために必要な、当業者が成し得る全ての変更、置換、変形、改変、および修正をもって実施される。
【０００８】
本開示に係るコード決済を実施するための形態について、図面を参照して説明する。
＜システム構成＞
図１は、本開示の一実施形態に係る通信システム１の構成を示す図である。図１に開示されるように、通信システム１では、ネットワーク１３０を介してサーバ１１０Ａ、サーバ１１０Ｂと、端末１２０Ａ、端末１２０Ｂ、端末１２０Ｃとが接続される。
【０００９】
本開示において、サーバ１１０Ａと、サーバ１１０Ｂとをそれぞれ区別する必要がない場合は、サーバ１１０Ａとサーバ１１０Ｂとは、それぞれサーバ１１０と表現されてもよい。
【００１０】
本開示において、端末１２０Ａと、端末１２０Ｂと、端末１２０Ｃとをそれぞれ区別する必要がない場合は、端末１２０Ａと端末１２０Ｂと端末１２０Ｃとは、それぞれ端末１２０（「情報処理端末」の一例。）と表現されてもよい。
【００１１】
本開示において、サーバ１１０と、端末１２０とをそれぞれ区別する必要がない場合は、サーバ１１０と端末１２０とは、それぞれ情報処理装置２００と表現されてもよい。なお、ネットワーク１３０に接続される情報処理装置２００の数は図１の例に限定されない。
【００１２】
サーバ１１０は、ネットワーク１３０を介してユーザが利用する端末１２０に、所定のサービスを提供する。所定のサービスは、限定でなく例として、金融サービス、電子商取引サービス、決済サービス、インスタントメッセンジャーを代表とするＳＮＳ（Social Networking Service）、楽曲・動画・書籍などのコンテンツ提供サービス等を含む。ユーザが端末１２０を介して所定のサービスを利用することで、サーバ１１０は１以上の端末１２０に所定のサービスを提供することができる。
【００１３】
必要に応じて、任意のユーザＸが利用する端末を端末１２０Ｘと表現する。以下の例では、端末１２０Ａは、資金を調達するユーザＡ（資金調達者）の端末であり、端末１２０Ｂは、資金を融資等により提供するユーザＢ（資金提供者）の端末であるとする。
【００１４】
また、ユーザＸまたは端末１２０Ｘに対応づけられた、所定のサービスにおけるユーザ情報をユーザ情報Ｘと表現する。なお、ユーザ情報とは、所定のサービスにおいてユーザが利用するアカウントに対応付けられたユーザの情報である。ユーザ情報は、限定でなく例として、ユーザにより入力される、または、所定のサービスにより付与される、ユーザの名前、ユーザのアイコン画像、ユーザの年齢、ユーザの性別、ユーザの住所、ユーザの趣味趣向、ユーザの識別子などのユーザに対応づけられた情報、ユーザに対応付けられた電子バリュー（電子マネー）の残高情報、ユーザに対応付けられたクレジットカード情報（クレジットカード番号など）を含み、これらのいずれか一つまたは、組み合わせであってもよい。
【００１５】
ネットワーク１３０は、２以上の情報処理装置２００を接続する役割を担う。ネットワーク１３０は、端末１２０がサーバ１１０に接続した後、データを送受信することができるように接続経路を提供する通信網を意味する。
【００１６】
ネットワーク１３０のうちの１つまたは複数の部分は、有線ネットワークや無線ネットワークであってもよい。ネットワーク１３０は、限定でなく例として、アドホック・ネットワーク（Ad Hoc Network）、イントラネット、エクストラネット、仮想プライベート・ネットワーク（Virtual Private Network：ＶＰＮ）、ローカル・エリア・ネットワーク（Local Area Network：ＬＡＮ）、ワイヤレスＬＡＮ（Wireless LAN：ＷＬＡＮ）、広域ネットワーク（Wide Area Network：ＷＡＮ）、ワイヤレスＷＡＮ（Wireless WAN：ＷＷＡＮ）、大都市圏ネットワーク（Metropolitan Area Network：ＭＡＮ）、インターネットの一部、公衆交換電話網（Public Switched Telephone Network：ＰＳＴＮ）の一部、携帯電話網、ＩＳＤＮｓ（Integrated Service Digital Networks）、無線ＬＡＮｓ、ＬＴＥ（Long Term Evolution）、ＣＤＭＡ（Code Division Multiple Access）、ブルートゥース（Bluetooth（登録商標））、衛星通信など、または、これらの２つ以上の組合せを含むことができる。ネットワーク１３０は、１つまたは複数のネットワーク１３０を含むことができる。
【００１７】
情報処理装置２００は、本開示に記載される機能、および／または、方法を実現できる情報処理装置であればどのような情報処理装置であってもよい。
【００１８】
情報処理装置２００は、限定ではなく例として、スマートフォン、携帯電話（フィーチャーフォン）、コンピュータ（限定でなく例として、デスクトップ、ラップトップ、タブレットなど）、サーバ装置、メディアコンピュータプラットホーム（限定でなく例として、ケーブル、衛星セットトップボックス、デジタルビデオレコーダなど）、ハンドヘルドコンピュータデバイス（限定でなく例として、ＰＤＡ（Personal Digital Assistant）、電子メールクライアントなど）、ウェアラブル端末（限定でなく例として、メガネ型デバイス、時計型デバイスなど）、他種のコンピュータ、またはコミュニケーションプラットホームを含む。
＜ハードウェア（ＨＷ）構成＞ 
図２を用いて、通信システム１に含まれる情報処理装置２００のＨＷ構成について説明する。図２は、実施形態に係る情報処理装置２００のハードウェア構成の一例を示す図である。
【００１９】
情報処理装置２００は、プロセッサ２０１と、メモリ２０２と、ストレージ２０３と、入出力インタフェース（入出力Ｉ／Ｆ）２０４と、通信インタフェース（通信Ｉ／Ｆ）２０５とを含む。情報処理装置２００のＨＷの各構成要素は、限定でなく例として、バスＢを介して相互に接続される。
【００２０】
情報処理装置２００は、プロセッサ２０１と、メモリ２０２と、ストレージ２０３と、入出力Ｉ／Ｆ２０４と、通信Ｉ／Ｆ２０５との協働により、本開示に記載される機能、および／または、方法を実現する。
【００２１】
プロセッサ２０１は、ストレージ２０３に記憶されるプログラムに含まれるコードまたは命令によって実現する機能、および／または、方法を実行する。プロセッサ２０１は、限定でなく例として、中央処理装置（ＣＰＵ）、ＭＰＵ（Micro Processing Unit）、ＧＰＵ（Graphic s Processing Unit）、マイクロプロセッサ（microprocessor）、プロセッサコア（processor core）、マルチプロセッサ（multiprocessor）、ＡＳＩＣ（Application-Specific Integrated Circuit）、ＦＰＧＡ（Field Programmable Gate Array）等を含み、集積回路（ＩＣ（Integrated Circuit）チップ、ＬＳＩ（Large Scale Integration））等に形成された論理回路（ハードウェア）や専用回路によって各実施形態に開示される各処理を実現してもよい。また、これらの回路は、１または複数の集積回路により実現されてよく、各実施形態に示す複数の処理を１つの集積回路により実現されることとしてもよい。また、ＬＳＩは、集積度の違いにより、ＶＬＳＩ、スーパーＬＳＩ、ウルトラＬＳＩなどと呼称されることもある。
【００２２】
メモリ２０２は、ストレージ２０３からロードしたプログラムを一時的に記憶し、プロセッサ２０１に対して作業領域を提供する。メモリ２０２には、プロセッサ２０１がプログラムを実行している間に生成される各種データも一時的に格納される。メモリ２０２は、限定でなく例として、ＲＡＭ（Random Access Memory）、ＲＯＭ（Read Only Memory）などを含む。
【００２３】
ストレージ２０３は、プログラムを記憶する。ストレージ２０３は、限定でなく例として、ＨＤＤ（Hard Disk Drive）、ＳＳＤ（Solid State Drive）、フラッシュメモリなどを含む。
【００２４】
通信Ｉ／Ｆ２０５は、ネットワーク１３０を介して各種データの送受信を行う。当該通信は、有線、無線のいずれで実行されてもよく、互いの通信が実行できるのであれば、どのような通信プロトコルを用いてもよい。通信Ｉ／Ｆ２０５は、ネットワーク１３０を介して、他の情報処理装置との通信を実行する機能を有する。通信Ｉ／Ｆ２０５は、各種データをプロセッサ２０１からの指示に従って、他の情報処理装置に送信する。また、通信Ｉ／Ｆ２０５は、他の情報処理装置から送信された各種データを受信し、プロセッサ２０１に伝達する。
【００２５】
入出力Ｉ／Ｆ２０４は、情報処理装置２００に対する各種操作を入力する入力装置、および、情報処理装置２００で処理された処理結果を出力する出力装置を含む。入出力Ｉ／Ｆ２０４は、入力装置と出力装置が一体化していてもよいし、入力装置と出力装置とに分離していてもよい。
【００２６】
入力装置は、ユーザからの入力を受け付けて、当該入力に係る情報をプロセッサ２０１に伝達できる全ての種類の装置のいずれか、または、その組み合わせにより実現される。入力装置は、限定でなく例として、タッチパネル、タッチディスプレイ、キーボード等のハードウェアキーや、マウス等のポインティングデバイス、カメラ（画像を介した操作入力）、マイク（音声による操作入力）を含む。
【００２７】
出力装置は、プロセッサ２０１で処理された処理結果を出力することができる全ての種類の装置のいずれか、または、その組み合わせにより実現される。当該処理結果を映像、および／または、動画像として出力する場合、出力装置は、フレームバッファに書き込まれた表示データに従って、当該表示データを表示することができる全ての種類の装置のいずれかまたはその組み合わせにより実現される。出力装置は、限定でなく例として、タッチパネル、タッチディスプレイ、モニタ（限定でなく例として、液晶ディスプレイ、ＯＥＬＤ（Organic Electroluminescence Display）など）、ヘッドマウントディスプレイ（ＨＤＭ：Head Mounted Display）、プロジェクションマッピング、ホログラム、空気中など（真空であってもよい）に画像やテキスト情報等を表示可能な装置、スピーカ（音声出力）、プリンターなどを含む。なお、これらの出力装置は、３Ｄで表示データを表示可能であってもよい。
【００２８】
本開示の各実施形態のプログラムは、コンピュータに読み取り可能な記憶媒体に記憶された状態で提供されてもよい。 記憶媒体は、「一時的でない有形の媒体」に、プログラムを記憶可能である。プログラムは、限定でなく例として、ソフトウェアプログラムやコンピュータプログラムを含む。
【００２９】
記憶媒体は適切な場合、１つまたは複数の半導体ベースの、または他の集積回路（ＩＣ）（限定でなく例として、フィールド・プログラマブル・ゲート・アレイ（ＦＰＧＡ）、特定用途向けＩＣ（ＡＳＩＣ）など）、ハード・ディスク・ドライブ（ＨＤＤ）、ハイブリッド・ハード・ドライブ（ＨＨＤ）、光ディスク、光ディスクドライブ（ＯＤＤ）、光磁気ディスク、光磁気ドライブ、フロッピィ・ディスケット、フロッピィ・ディスク・ドライブ（ＦＤＤ）、磁気テープ、固体ドライブ（ＳＳＤ）、ＲＡＭドライブ、セキュア・デジタル・カードもしくはドライブ、任意の他の適切な記憶媒体、またはこれらの２つ以上の適切な組合せを含むことができる。記憶媒体は、適切な場合、揮発性、不揮発性、または揮発性と不揮発性の組合せでよい。
【００３０】
また、本開示のプログラムは、当該プログラムを伝送可能な任意の伝送媒体（通信ネットワークや放送波等）を介して、情報処理装置２００に提供されてもよい。
【００３１】
また、本開示の各実施形態は、プログラムが電子的な伝送によって具現化された、搬送波に埋め込まれたデータ信号の形態でも実現され得る。
【００３２】
なお、本開示のプログラムは、限定でなく例として、ＪａｖａＳｃｒｉｐｔ（登録商標）、Ｐｙｔｈｏｎなどのスクリプト言語、Ｃ言語、Ｇｏ言語、Ｓｗｉｆｔ，Ｋｏｌｔｉｎ、Ｊａｖａ（登録商標）など
を用いて実装される。
【００３３】
情報処理装置２００おける処理の少なくとも一部は、１以上のコンピュータにより構成されるクラウドコンピューティングにより実現されていてもよい。
【００３４】
情報処理装置２００における処理の少なくとも一部を、他の情報処理装置により行う構成としてもよい。この場合、プロセッサ２０１により実現される各機能部の処理のうち少なくとも一部の処理を、他の情報処理装置で行う構成としてもよい。
【００３５】
＜その他＞
明示的な言及のない限り、本開示の実施形態における判定の構成は必須でなく、判定条件を満たした場合に所定の処理が動作されたり、判定条件を満たさない場合に所定の処理がされたりしてもよい。
【００３６】
本開示では、明記されない限り、または文脈によって示されない限り、「または」は排他的ではなく包含的な意味である。したがって、本開示では、明記されていない限り、または文脈によって示されない限り、「ＡまたはＢ」は「Ａ、Ｂ、またはその両方」を意味する。さらに、「AおよびBの少なくとも一方」は、「Ａ、Ｂ、またはその両方」を意味する。さらに、明記されない限り、または文脈によって示されない限り、「ａ」、「ａｎ」、または「ｔｈｅ」は「１つまたは複数」を意味するものとする。したがって、本明細書では、別段に明記されない限り、または文脈によって示されない限り、「ａｎ  Ａ」または「ｔｈｅ  Ａ」は「１つまたは複数のＡ」を意味する。
【００３７】
本開示は、本開示の実施形態、および／または、実施例に対して、当業者が成し得る全ての変更、置換、変形、改変、および修正を包含する。同様に、適切な場合、添付の特許請求の範囲は、本開示の実施形態、および／または、実施例に対して、当業者が成し得る全ての変更、置換、変形、改変、および修正を包含する。さらに、本開示は、当業者が成し得る、本開示における実施形態、および／または、実施例の１つまたは複数の特徴と、本開示における他の実施形態、および／または、実施例の１つまたは複数の特徴との任意の組合せを包含する。
【００３８】
加えて、特定の機能を実施するように適合される、配置される、能力を有する、構成される、使用可能である、動作可能である、または動作できる装置またはシステムあるいは装置またはシステムの構成要素に対する添付の特許請求の範囲での参照は、その装置、システム、または構成要素がそのように適合される、配置される、能力を有する、構成される、使用可能にされる、動作可能にされる、または動作できる限り、その装置、システム、構成要素またはその特定の機能がアクティベートされ、オンにされ、またはロック解除されているか否かに関わらず、その装置、システム、構成要素を包含する。
【００３９】
本開示は、明示されない限り、いずれの実施形態または実施例を実施するに際して、事前に、または、実施の直前にユーザからの同意を取得してもよい。また、取得する同意は、包括的なものでもよく、都度取得するものでもよい。
＜実施形態＞
実施形態は、サーバ１１０が、資金の調達を希望する各ユーザからの資金調達要求を、資金の使用目的、及び当該各ユーザの属性等（以下で「使用目的等」と称する。）の少なくとも一つを示す語句（単語、及び文を含む）であるテーマに対応付け、融資または出資等を希望する各ユーザが、テーマに対応付けられた使用目的等に対して融資または出資等（以下で「融資等」と称する。）を行えるようにする実施形態である。
【００４０】
実施形態により、ユーザが融資等をより容易に行えるようにすることができる。また、例えば、一のテーマに対する融資等は、当該一のテーマに対応付けられた複数のユーザに対する債権に基づいて支払われるため、資金提供者のユーザは、貸し倒れ等のリスクを分散することができる。また、サーバ１１０の事業者が資金調達者のユーザに融資等を行い、サーバ１１０の事業者が資金提供者等のユーザから融資等を受ける形態であるため、個人間の融資等に関して法律面の制約がある国等においても、当該制約を受けないようにすることができる場合がある。なお、テーマごとに匿名組合を発足させ、出資を希望するユーザは当該匿名組合に加入した後に出資するようにしてもよい。また、融資等を容易に行えるため、個人間で融資等を行う場合と比較して通信する回数を減らすことができるため、結果的に端末１２０Ａやサーバ１１０の負荷、及び端末１２０Ａとサーバ１１０間のネットワークの負荷を軽減できるという効果が得られる。
＜実施形態の機能構成＞
図３を用いてサーバ１１０、および／または、端末１２０の機能構成を説明する。図３は、実施形態に係るサーバ１１０、及び端末１２０の機能的な構成を示すブロック図の一例を示す図である。図３に開示の機能部は、情報処理装置２００が備えるプロセッサ２０１と、メモリ２０２と、ストレージ２０３と、入出力Ｉ／Ｆ２０４と、通信Ｉ／Ｆ２０５との協働により実現される。
（１）サーバの機能構成 
サーバ１１０は、受付部３１１と、送受信部３１２と、制御部３１３と、記憶部３１４とを有する。
【００４１】
記憶部３１４は、端末１２０のユーザの情報を含むユーザ情報３１４１、資金調達者のユーザからの資金調達の要求の情報を含む資金調達情報３１４２、融資等の対象となる各テーマの情報を含むテーマ情報３１４３、及び資金提供者のユーザからの資金提供の要求の情報を含む資金提供情報３１４４等を記憶する。
【００４２】
受付部３１１は、サーバ１１０の事業者からの各種の設定操作等を受け付ける。
【００４３】
送受信部３１２は、制御部３１３の指示に従い、端末１２０等とのデータの送受信を行う。なお、送受信部３１２は、例えば、端末１２０からのログイン要求に含まれるユーザＩＤ、及びパスワードにより端末１２０のユーザが認証された際、端末１２０とのＨＴＴＰＳ等を用いた通信用のセッションを接続する。そして、接続した通信用のセッションのＩＤに対応付けて、端末１２０の通信用のアドレス、及びユーザＩＤ等を記憶しておく。そして、接続した通信用のセッションを用いて、端末１２０にデータを送信する。
【００４４】
制御部３１３は、金融サービス、決済サービス、及び電子商取引サービス等のサービスを、端末１２０のユーザに提供する処理を行う。制御部３１３は、例えば、ユーザＡの資金調達の目的、及びユーザ情報３１４１に記憶されているユーザＡの情報に基づいて、複数のテーマを決定し、決定した複数のテーマのそれぞれに対してユーザＡを対応付けてテーマ情報３１４３に記憶させる。また、制御部３１３は、例えば、ユーザＢにより指定された一のテーマに対する所定金額の資金提供の情報を受信すると、当該所定金額の資金を、当該一のテーマに対応付けられているユーザＡを含む複数のユーザに分配する。
（２）端末の機能構成 
端末１２０は、受付部３２１と、送受信部３２２と、制御部３２３と、記憶部３２４とを有する。
【００４５】
受付部３２１は、端末１２０のユーザからの各種の操作等を受け付ける。
【００４６】
送受信部３２２は、制御部３２３の指示に従い、サーバ１１０等とのデータの送受信を行う。なお、送受信部３２２は、例えば、サーバ１１０にログインした際、サーバ１１０とのＨＴＴＰＳ等を用いた通信用のセッションを接続する。そして、接続した通信用のセッションのＩＤに対応付けて、サーバ１１０の通信用のアドレス等を記憶しておく。そして、接続した通信用のセッションを用いて、サーバ１１０にデータを送信する。
【００４７】
制御部３２３は、サーバ１１０により提供される金融サービス、決済サービス、及び電子商取引サービス等のサービスを利用する処理を行う。
【００４８】
記憶部３２４は、サーバ１１０により提供されるサービスを利用するための各種の情報を記憶する。
【００４９】
＜実施形態の処理＞
図４から図６Ｃを参照し、実施形態に係る通信システム１の処理について説明する。図４は、実施形態に係る通信システム１の処理のシーケンスの一例を示す図である。図５Ａは、実施形態に係るユーザ情報３１４１の一例について説明する図である。図５Ｂは、実施形態に係る資金調達情報３１４２の一例について説明する図である。図５Ｃは、実施形態に係るテーマ情報３１４３の一例について説明する図である。図５Ｄは、実施形態に係る資金提供情報３１４４の一例について説明する図である。図６Ａは、実施形態に係る資金を調達するユーザＡの端末１２０Ａの表示画面の一例を示す図である。図６Ｂ、及び図６Ｃは、実施形態に係る資金を提供するユーザＢの端末１２０Ｂの表示画面の一例を示す図である。
【００５０】
なお、端末１２０Ａ、及び端末１２０Ｂは、サーバ１１０との通信を行う際、ユーザＡ、及びユーザＢのアカウントをそれぞれ用いてサーバ１１０の認証を受けているものとする。
【００５１】
ステップＳ１において、端末１２０Ａは、融資等を受けたい資金の額である希望金額、資金の使用目的、返済期限等の入力をユーザＡから受け付ける。ここで、端末１２０Ａは、例えば、希望金額として３０万円、返済期限として融資等から１年後、資金の使用目的として、「Ｆｉｎｔｅｃｈのスタートアップを見学しにシリコンバレーに行くための旅費」等の文章の入力を受け付ける。
【００５２】
続いて、端末１２０Ａは、資金調達要求をサーバ１１０に送信する（ステップＳ２）。なお、この資金調達要求には、ステップＳ１の処理でユーザＡにより入力された各種の情報、及びユーザＡのユーザＩＤ等が含まれてもよい。
【００５３】
続いて、サーバ１１０は、ユーザ情報３１４１を参照し、ユーザＡに対する資金調達の条件を決定する（ステップＳ３）。ここで、サーバ１１０は、ユーザＡの行動履歴、及び個人情報等を用いて当該ユーザの信用度を算出し、算出した信用度に応じて当該ユーザに対する資金調達の条件を決定してもよい。資金調達の条件は、資金を調達するユーザがサーバ１１０を運用する事業者に対する債務等の条件である。サーバ１１０は、資金調達の条件として、例えば、金利、手数料、資金調達の目的に対する達成報告（結果報告）、サーバ１１０が提供する各種サービスの利用等の条件を決定してもよい。
【００５４】
図５Ａの例では、ユーザ情報３１４１には、ユーザＩＤに対応付けて、ユーザ名、プロフィール、行動履歴、及び個人情報が記憶されている。ユーザＩＤは、ユーザＩＤに係るユーザの識別情報である。ユーザ名は、当該ユーザの名称である。プロフィールは、例えば、当該ユーザに入力された、当該ユーザの自己紹介文等でもよい。プロフィールは、例えば、サーバ１１０により提供される電子商取引サービス、及びＳＮＳ等において、一のユーザが他のユーザに対して公開する当該一のユーザの情報でもよい。
【００５５】
行動履歴は、当該ユーザの行動履歴である。行動履歴には、例えば、当該ユーザがサーバ１１０により提供される金融サービスを用いて資金調達、及び貸し付けの返済等を行った履歴や、当該ユーザが他のユーザとの間で行った金銭授受の履歴等が含まれてもよい。また、行動履歴には、例えば、当該ユーザがサーバ１１０により提供される電子商取引サービスを用いて商品等を売買した履歴等が含まれてもよい。個人情報は、当該ユーザの個人情報である。個人情報には、当該ユーザの勤務先または通学先、当該ユーザの居住地域、当該ユーザが保有する金融資産額、及び年収等が含まれてもよい。
【００５６】
続いて、サーバ１１０は、受信した資金調達要求に対する複数のテーマ等を決定する（ステップＳ４）。ここで、サーバ１１０は、例えば、ステップＳ１でユーザＡに入力された資金の使用目的の文章、及びユーザ情報３１４１に記憶されているユーザＡのプロフィールの文章、及び個人情報等に基づいて、受信した資金調達要求に対する複数のテーマ等を抽出してもよい。この場合、サーバ１１０は、例えば、使用目的、及びプロフィール等の文章を形態素解析して複数の名詞を抽出する。例えば、ステップＳ１でユーザＡに入力された資金の使用目的の文章が「Ｆｉｎｔｅｃｈのスタートアップを見学しにシリコンバレーに行くための旅費」であれば、当該文章を形態素解析して、「Ｆｉｎｔｅｃｈ」、「スタートアップ」、「見学」、「シリコンバレー」、「旅費」等の名詞等の各単語を抽出する。サーバ１１０は、抽出した各単語のうち、サーバ１１０に予め登録されている単語（キーワード）を、テーマとしてもよい。
【００５７】
また、サーバ１１０は、抽出した各単語のうち、サーバ１１０に予め登録されている単語を複数繋げた文（文章）をテーマとしてもよい。この場合、サーバ１１０は、「シリコンバレー」及び「旅費」を繋げた「シリコンバレーへの旅費」をテーマとしてもよい。さらに、サーバ１１０は、類語辞典（シソーラス）データを参照し、抽出した各単語を、上位概念の単語、類義語、または同義語に変換してもよい。これにより、資金調達者のユーザにより入力された用語のバラつき、及び過度な詳細化を低減できるため、より多数の資金調達要求を、同一のテーマに対応付けることができる。この場合、例えば、サーバ１１０は、「シリコンバレー」を「米国」と変換する。そして、サーバ１１０は、「米国」及び「旅費」の語句を繋げた「米国への旅費」をテーマとしてもよい。
【００５８】
また、サーバ１１０は、例えば、個人情報、使用目的、及びプロフィール等の文章をＡＩ(Artificial Intelligence)を用いて自然言語理解し、他のユーザの興味を引くような文章を生成し、生成した文章をテーマとしてもよい。例えば、ステップＳ１でユーザＡに入力された資金の使用目的の文章が上述の例と同様であり、プロフィールに「２０代の主婦です。小さな子供がいますので、ご質問などにすぐに対応できない時もあります。自作の動画を投稿し、広告収入を得ています。」との文章が含まれているとする。この場合、サーバ１１０は、「育児中の主婦の動画投稿者、シリコンバレーに行く。」という文章のテーマを抽出してもよい。これにより、資金提供者のユーザに対し、テーマに基づいた融資等により興味を抱かせることができる。
【００５９】
そして、サーバ１１０は、資金調達要求に対応付けて、資金調達要求に含まれる希望金額、資金の使用目的、及び返済期限と、ステップＳ３の処理で決定した資金調達の条件と、ステップＳ４の処理で決定した複数のテーマ等を資金調達情報３１４２に記憶する。図５Ｂの例では、資金調達情報３１４２には、資金調達要求ＩＤに対応付けて、資金調達者のユーザＩＤ、希望金額、資金の使用目的、テーマ、資金調達の条件、及び返済期限等が記憶されている。また、資金調達要求ＩＤと資金提供者のユーザＩＤに対応付けて、提供金額が記憶されている。
【００６０】
続いて、サーバ１１０は、決定した資金調達の条件等を端末１２０Ａに送信する（ステップＳ５）。続いて、端末１２０Ａは、受信した資金調達の条件等を画面に表示させる（ステップＳ６）。ここで、端末１２０Ａは、例えば、図６Ａの表示画面６０１を表示する。端末１２０Ａは、図６Ａの例では、サーバ１１０により決定された資金調達の条件、及びテーマと、ステップＳ１でユーザＡが入力した使用目的、及び希望金額等が領域６０２に表示されている。
【００６１】
続いて、端末１２０Ａは、資金調達の条件等を承認する操作をユーザＡから受け付ける（ステップＳ７）。ここで、端末１２０Ａは、例えば、図６Ａの「ＯＫ」ボタン６０３の押下操作を受け付ける。続いて、端末１２０Ａは、承認の通知をサーバ１１０に送信する（ステップＳ８）。
【００６２】
続いて、サーバ１１０は、各テーマにより調達した資金を各ユーザの資金調達要求に分配する割合を決定する（ステップＳ９）。ここで、サーバ１１０は、例えば、テーマ毎の過去の回収率（返済率）や収益率に基づいて、各テーマにより調達した資金を各ユーザの資金調達要求に分配する割合を決定してもよい。そして、サーバ１１０は、当該各テーマに対応付けて、集めた資金を各ユーザの資金調達要求に分配する割合をテーマ情報３１４３に記憶する。
【００６３】
続いて、サーバ１１０は、ステップＳ４の処理によりユーザＡの資金調達要求に関連付けられた各テーマに対する特典等を更新する（ステップＳ１０）。ここで、サーバ１１０は、まず、テーマ情報３１４３において、ステップＳ４の処理で決定した複数のテーマのそれぞれに対して、ユーザＡを対応付けて記憶させる。そして、サーバ１１０は、ユーザＡに対する債権である、資金調達情報３１４２の資金調達の条件に基づいて、テーマ情報３１４３に記憶されている当該各テーマに対する特典を更新する。特典には、例えば、金利、配当、及び上述したユーザＡによる達成報告を閲覧する権利等が含まれてもよい。これにより、資金提供者のユーザに、資金調達者のユーザによる達成報告を閲覧できる、資金調達者のユーザに対する利子に応じた利息を受ける等の特典を与えることができる。
【００６４】
図５Ｃの例では、テーマ情報３１４３には、各テーマに対応付けて、特典、資金調達要求ＩＤ、分配の割合、調達の上限額等が記憶されている。資金調達要求ＩＤは、サーバ１１０が、資金提供者のユーザからテーマに対して受けた融資等に基づいて、融資等を行う資金調達者のユーザの資金調達要求のＩＤである。分配の割合は、サーバ１１０が資金提供者のユーザからテーマに対して受けた融資等の額に対する、各資金調達者のユーザに対して融資等を行う額の割合である。調達の上限額は、各テーマから各資金調達者のユーザが調達可能な額の上限である。図５Ａ、及び図５Ｃの例では、ユーザＡは「Ｆｉｎｔｅｃｈ」のテーマから１０万円までの融資等を受けられ、ユーザＣは「Ｆｉｎｔｅｃｈ」のテーマから５万円までの融資等を受けられることが示されている。
【００６５】
続いて、端末１２０Ｂは、融資等を行うテーマの一覧を表示させる操作をユーザＢから受け付ける（ステップＳ１１）。続いて、端末１２０Ｂは、テーマの一覧の取得要求をサーバ１１０に送信する（ステップＳ１２）。
【００６６】
続いて、サーバ１１０は、ユーザＢに対して融資等をレコメンド（お勧め）するテーマを決定する（ステップＳ１３）。ここで、サーバ１１０は、例えば、ユーザ情報３１４１に記憶されているユーザＢのプロフィールの文章、行動履歴、及び個人情報等に基づいて、ユーザＢに対してレコメンドするテーマを決定してもよい。
【００６７】
この場合、サーバ１１０は、例えば、以下の処理を行うようにしてもよい。まず、サーバ１１０は、各ユーザのプロフィールの文章、行動履歴、及び個人情報等に基づいて、ユーザ各の属性を判定する。ここで、サーバ１１０は、例えば、行動履歴において、ユーザＢが子供服等の子供用品を複数回購入している場合、ユーザＢは購入した各子供用品に応じた年代の子供を有すると推定する。また、行動履歴において、ユーザＢが子供服等の子供用品を複数回販売している場合、ユーザＢは販売した各子供用品に応じた年代の一つ上の年代の子供を有すると推定する。この場合、例えば、１２０ｃｍの子供服を販売した場合、１２０ｃｍのサイズが小さくなった５歳から６歳の子供を有すると推定してもよい。
【００６８】
そして、サーバ１１０は、ユーザＢの属性に関連するテーマを、レコメンドするテーマとして決定する。この場合、サーバ１１０は、例えば、ユーザＢが子供を有する場合、育児に関連するテーマをレコメンドする。また、ユーザＢが△△県出身の場合、△△県に関連するテーマをレコメンドする。また、ユーザＢが○○大学出身の場合、○○大学に関連するテーマをレコメンドする。
【００６９】
続いて、サーバ１１０は、ユーザＢにレコメンドするテーマの一覧の情報を端末１２０Ｂに送信する（ステップＳ１４）。続いて、端末１２０Ｂは、受信したテーマの一覧の情報を画面に表示させる（ステップＳ１５）。ここで、端末１２０Ｂは、例えば、図６Ｂの表示画面６１１を表示する。端末１２０Ｂは、図６Ｂの例では、「育児中の主婦の動画投稿者、シリコンバレーに行く。」というテーマ６１２Ａとその特典６１２Ｂ、「△△県の女子大生が○○大学に留学」というテーマ６１３Ａとその特典６１３Ｂを、ユーザＢに対するお勧めのテーマとして表示している。なお、端末１２０Ｂは、テーマ毎の過去の回収率や収益率も表示させてもよい。
【００７０】
続いて、端末１２０Ｂは、融資等を行うテーマの選択操作をユーザＢから受け付ける（ステップＳ１６）。ここで、図６Ｂのテーマ６１２Ａのリンクが押下されると、端末１２０Ｂは、例えば、図６Ｃの表示画面６２１を表示する。端末１２０Ｂは、図６Ｃの例では、テーマの説明、及び特典の説明の文章を領域６２２に表示している。また、端末１２０Ｂは、入力欄６２３、及び入力欄６２４により、融資等の額、及び期間の入力をユーザＢから受け付ける。そして、「ＯＫ」ボタン６２５の押下操作を受け付ける。
【００７１】
続いて、端末１２０Ｂは、資金提供要求をサーバ１１０に送信する（ステップＳ１７）。ここで、資金提供要求には、ステップＳ１６の処理でユーザＢにより指定されたテーマ、融資等の額、及び期間の情報と、ユーザＢのユーザＩＤ等が含まれてもよい。続いて、サーバ１１０は、受信した資金提供要求に基づいた資金提供処理を行う（ステップＳ１８）。ここで、サーバ１１０は、受信した資金提供要求を資金提供情報３１４４に記憶する。図５Ｄの例では、資金提供情報３１４４には、資金提供要求ＩＤに対応付けて、資金提供者のユーザＩＤ、提供金額、テーマ、及び期間等が記憶されている。提供金額、テーマ、及び期間は、それぞれ、ステップＳ１６の処理により資金提供者のユーザから指定された、融資等の額、テーマ、及び融資等を行う期間である。図５Ａ、及び図５Ｄの例では、ユーザＢ、及びユーザＤ等のユーザが、「Ｆｉｎｔｅｃｈ」のテーマに融資等を行ったことが示されている。
【００７２】
＜実施形態の資金提供処理＞
次に、図４のステップＳ１８の資金提供処理の一例について説明する。
【００７３】
（融資等を実行した際の処理）
図７を参照し、図４のステップＳ１８の資金提供処理の一例について説明する。図７は、実施形態に係る資金提供処理の一例を示すフローチャートである。図７の例では、サーバ１１０は、各テーマに対して受けた融資等の額からユーザＡに配分する額の合計額が、ユーザＡの希望金額に到達した際に、ユーザＡに対する当該希望金額の融資等を実行する例について説明する。
【００７４】
ステップＳ１０１において、サーバ１１０は、例えば、図５Ｄの資金提供情報３１４４を参照し、各テーマに対する提供金額の合計金額を算出する。ここで、図５Ｄの例では、「Ｆｉｎｔｅｃｈ」のテーマに対し、ユーザＢにより提供された３０万円、及びユーザＤにより提供された１０万円等の合計金額が算出される。
【００７５】
続いて、サーバ１１０は、図５Ｃのテーマ情報３１４３を参照し、各テーマに対する提供金額の合計金額を、資金調達者の各ユーザの資金調達要求に分配する（ステップＳ１０２）。ここで、図５Ｃの例では、「Ｆｉｎｔｅｃｈ」のテーマに対する合計金額５００万円であれば、「Ｆｉｎｔｅｃｈ」のテーマからユーザＡに合計金額の１％であり調達の上限額以下である５万円が分配される。
【００７６】
続いて、サーバ１１０は、資金調達者の各ユーザに対して各テーマから分配された金額の合計金額が、図５Ｂの資金調達情報３１４２に記憶されている各ユーザの資金調達要求の希望金額に到達しているユーザの資金調達要求を抽出する（ステップＳ１０３）。
【００７７】
続いて、サーバ１１０は、抽出したユーザの資金調達要求に対して、当該資金調達要求で指定されている希望金額の資金の融資等を行う（ステップＳ１０４）。ここで、サーバ１１０は、図５Ｂの資金調達情報３１４２において、資金調達要求ＩＤと、各テーマの各資金提供者のユーザＩＤに対応付けて、各資金提供者のユーザの融資等に基づいて分配された金額を提供金額の項目に記憶する。図５Ｂの例では、ユーザＡの資金調達要求に対し、ユーザＢから３千円、ユーザＣから千円等が分配されていることが示されている。
【００７８】
また、サーバ１１０は、ユーザＡに対する融資等を実行した場合、資金提供者の各ユーザと、資金調達者のユーザＡに所定の関係を設定する。例えば、資金提供者の各ユーザを、資金調達者のユーザＡのフォロワーとして設定する。
【００７９】
（融資等の返済が完了した際の処理）
サーバ１１０は、ユーザＡからの融資等の返済が完了した場合、ユーザＡからの資金調達の目的に対する結果報告のデータを端末１２０Ａから受信すると、ユーザＡに所定の特典を付与してもよい。この場合、サーバ１１０は、例えば、電子商取引サービス等のサービスの利用手数料の割引をする、ユーザＡが支払った利子の一部を電子商取引サービス等のサービスで利用可能なポイントとして還元する等の特典を付与してもよい。そして、サーバ１１０は、ユーザＡからの資金調達の目的に対する結果報告のデータを、ユーザＡのフォロワーとして設定されている資金提供者の各ユーザに閲覧可能とする。これにより、資金提供者は、融資等によってどのような夢を後押しできたのかを確認することができる。
【００８０】
（融資等の期間が満了した際等の処理）
サーバ１１０は、図４のステップＳ１６の処理でユーザＢにより指定された一のテーマに対する融資等の期間が満了した際、または定期的等の所定のタイミングで、ユーザＢに所定の特典を付与してもよい。
【００８１】
この場合、サーバ１１０は、例えば、電子商取引サービス等のサービスの利用手数料の割引をする等の特典を付与してもよい。また、サーバ１１０は、例えば、ユーザＢの融資等の期間における当該一のテーマの回収率が所定の閾値以上である場合、電子商取引サービス等のサービスで利用可能なポイントを所定の金額分、ユーザＢに付与してもよい。この場合、サーバ１１０は、当該回収率と当該所定の閾値との差、及びユーザＢによるサーバ１１０が提供するサービスの利用度に基づいて、当該所定の金額を決定してもよい。
【００８２】
以上の説明に関し、更に以下の項を開示する。
（付記１）
情報処理装置が、
第１ユーザの資金調達の目的、及び前記第１ユーザの情報の少なくとも一つに基づいて、複数のテーマを決定する処理と、
決定した前記複数のテーマのそれぞれに対して前記第１ユーザを対応付ける処理と、
第２ユーザにより指定された、前記複数のテーマに含まれる第１テーマに対する第１金額の資金提供の情報を受信する処理と、
前記第１金額を、前記第１テーマに対応付けられている前記第１ユーザを含む複数のユーザに分配する処理と、を実行する情報処理方法。
（付記２）
前記受信する処理は、
第３ユーザにより指定された、前記複数のテーマに含まれる第２テーマに対する第２金額の資金提供の情報を受信し、
前記分配する処理は、
前記第２金額を、前記第２テーマに対応付けられている前記第１ユーザを含む複数のユーザに分配して提供し、前記第２ユーザからの資金提供の情報に基づいて前記第１ユーザに分配された金額と、前記第３ユーザからの資金提供の情報に基づいて前記第１ユーザに分配された金額との合計額が前記第１ユーザにより指定された希望金額に到達した場合、前記第１ユーザに前記希望金額の資金を提供する、
付記１に記載の情報処理方法。
（付記３）
前記第１ユーザの情報は、前記第１ユーザにより入力された前記第１ユーザの自己紹介文、及び前記第１ユーザの商品の取引履歴の少なくとも一つを含む、
付記１または２に記載の情報処理方法。
（付記４）
前記第２ユーザにより入力された前記第２ユーザの自己紹介文、及び前記第２ユーザの商品の取引履歴の少なくとも一つに基づいて、前記複数のテーマのうち、前記第２ユーザに通知するテーマを決定する、
付記１から３のいずれか一項に記載の情報処理方法。
（付記５）
前記第１ユーザの情報に基づいて、前記第１ユーザに対する資金調達の条件を決定し、
決定した前記第１ユーザに対する資金調達の条件に基づいて、前記第１テーマに対する資金提供の特典を決定する、
付記１から４のいずれか一項に記載の情報処理方法。
（付記６）
第１ユーザの資金調達の目的、及び前記第１ユーザの情報の少なくとも一つに基づいて、複数のテーマを決定し、
決定した前記複数のテーマのそれぞれに対して前記第１ユーザを対応付け、
第２ユーザにより指定された、前記複数のテーマに含まれる第１テーマに対する第１金額の資金提供の情報を受信すると、前記第１金額を、前記第１テーマに対応付けられている前記第１ユーザを含む複数のユーザに分配する制御部を有する情報処理装置。
（付記７）
情報処理装置に、
第１ユーザの資金調達の目的、及び前記第１ユーザの情報の少なくとも一つに基づいて、複数のテーマを決定する処理と、
決定した前記複数のテーマのそれぞれに対して前記第１ユーザを対応付ける処理と、
第２ユーザにより指定された、前記複数のテーマに含まれる第１テーマに対する第１金額の資金提供の情報を受信する処理と、
前記第１金額を、前記第１テーマに対応付けられている前記第１ユーザを含む複数のユーザに分配する処理と、を実行させるプログラム。
【符号の説明】
【００８３】
１００  通信システム
１１０  サーバ
３１１  受付部
３１２  送受信部
３１３  制御部
３１４  記憶部
３１４１  ユーザ情報
３１４２  資金調達情報
３１４３  テーマ情報
３１４４  資金提供情報
１２０  端末
３２１  受付部
３２２  送受信部
３２３  制御部
３２４  記憶部
【図１】
2020060982.tif 000003
【図２】
2020060982.tif 000004
【図３】
2020060982.tif 000005
【図４】
2020060982.tif 000006
【図５Ａ】
2020060982.tif 000007
【図５Ｂ】
2020060982.tif 000008
【図５Ｃ】
2020060982.tif 000009
【図５Ｄ】
2020060982.tif 000010
【図６Ａ】
2020060982.tif 000011
【図６Ｂ】
2020060982.tif 000012
【図６Ｃ】
2020060982.tif 000013
【図７】
2020060982.tif 000014
【手続補正書】
【提出日】平成31年4月2日(2019.4.2)
【手続補正１】
【補正対象書類名】特許請求の範囲
【補正対象項目名】全文
【補正方法】変更
【補正の内容】
【特許請求の範囲】
【請求項１】
情報処理装置が、
第１ユーザの資金調達の目的、及び前記第１ユーザの情報の少なくとも一つに基づいて、複数のテーマを決定する処理と、
決定した前記複数のテーマのそれぞれに対して前記第１ユーザを対応付ける処理と、
第２ユーザにより指定された、前記複数のテーマに含まれる第１テーマに対する第１金額の資金提供の情報を受信する処理と、
前記第１金額を、前記第１テーマに対応付けられている前記第１ユーザを含む複数のユーザに分配する処理と、を実行し、
前記決定する処理は、前記第１ユーザに入力された資金調達の目的の文章から抽出した複数の名詞を、予め登録されている、上位概念の単語、類義語、または同義語に変換し、変換した各単語を繋げた文をテーマとして生成する処理を含む、情報処理方法。
【請求項２】
情報処理装置が、
第１ユーザの資金調達の目的、及び前記第１ユーザの情報の少なくとも一つに基づいて、複数のテーマを決定する処理と、
決定した前記複数のテーマのそれぞれに対して前記第１ユーザを対応付ける処理と、
前記複数のテーマに含まれる第１テーマに対して匿名組合を設定し、当該匿名組合に加入している第２ユーザにより指定された、前記複数のテーマに含まれる第１テーマに対する第１金額の資金提供の情報を受信する処理と、
前記第１金額を、前記第１テーマに対応付けられている前記第１ユーザを含む複数のユーザに分配する処理と、を実行する情報処理方法。
【請求項３】
情報処理装置が、
第１ユーザの資金調達の履歴、前記第１ユーザの貸し付けの返済履歴、前記第１ユーザが他のユーザとの間で行った金銭授受の履歴、前記第１ユーザの商品の売買履歴、及び前記第１ユーザの個人情報の少なくとも一つに基づいて、前記第１ユーザに対する金利、手数料、及び資金調達の目的に対する達成報告の少なくとも一つを含む資金調達の条件を決定する処理と、
前記第１ユーザの資金調達の目的、及び前記第１ユーザの情報の少なくとも一つに基づいて、複数のテーマを決定する処理と、
決定した前記複数のテーマのそれぞれに対して前記第１ユーザを対応付ける処理と、
第２ユーザにより指定された、前記複数のテーマに含まれる第１テーマに対する第１金額の資金提供の情報を受信する処理と、
前記第１金額を、前記第１テーマに対応付けられている前記第１ユーザを含む複数のユーザに分配する処理と、を実行する情報処理方法。
【請求項４】
情報処理装置が、
第１ユーザの資金調達の目的、及び前記第１ユーザの情報の少なくとも一つに基づいて、複数のテーマを決定する処理と、
決定した前記複数のテーマのそれぞれに対して前記第１ユーザを対応付ける処理と、
第２ユーザにより指定された、前記複数のテーマに含まれる第１テーマに対する第１金額の資金提供の情報を受信する処理と、
前記複数のテーマに含まれるテーマ毎の過去の回収率または収益率に基づいて、前記第１テーマに対応付けられている前記第１ユーザを含む複数のユーザに前記第１金額を分配する割合を決定する処理と、を実行する情報処理方法。
【請求項５】
情報処理装置が、
第１ユーザの資金調達の目的、及び前記第１ユーザの情報の少なくとも一つに基づいて、複数のテーマを決定する処理と、
決定した前記複数のテーマのそれぞれに対して前記第１ユーザを対応付ける処理と、
第２ユーザにより指定された、前記複数のテーマに含まれる第１テーマに対する第１金額の資金提供の情報を受信する処理と、
前記第１金額を、前記第１テーマに対応付けられている前記第１ユーザを含む複数のユーザに分配する処理と、
前記第１ユーザからの融資の返済が完了した場合、前記第１ユーザに所定の特典を付与する処理と、を実行する情報処理方法。
【請求項６】
前記受信する処理は、
第３ユーザにより指定された、前記複数のテーマに含まれる第２テーマに対する第２金額の資金提供の情報を受信し、
前記分配する処理は、
前記第２金額を、前記第２テーマに対応付けられている前記第１ユーザを含む複数のユーザに分配して提供し、前記第２ユーザからの資金提供の情報に基づいて前記第１ユーザに分配された金額と、前記第３ユーザからの資金提供の情報に基づいて前記第１ユーザに分配された金額との合計額が前記第１ユーザにより指定された希望金額に到達した場合、前記第１ユーザに前記希望金額の資金を提供する、請求項１から５のいずれか一項に記載の情報処理方法。
【請求項７】
前記決定する処理は、
前記第１ユーザの資金調達の目的、及び前記第１ユーザの情報に基づいて、複数のテーマを決定し、
前記第１ユーザの情報は、前記第１ユーザにより入力された前記第１ユーザの自己紹介文、及び前記第１ユーザの商品の取引履歴の少なくとも一つを含む、請求項１から６のいずれか一項に記載の情報処理方法。
【請求項８】
前記第２ユーザにより入力された前記第２ユーザの自己紹介文、及び前記第２ユーザの商品の取引履歴の少なくとも一つに基づいて、前記複数のテーマのうち、前記第２ユーザに通知するテーマを決定する、請求項１から７のいずれか一項に記載の情報処理方法。
【請求項９】
第１ユーザの資金調達の目的、及び前記第１ユーザの情報の少なくとも一つに基づいて、複数のテーマを決定する処理と、
決定した前記複数のテーマのそれぞれに対して前記第１ユーザを対応付ける処理と、
第２ユーザにより指定された、前記複数のテーマに含まれる第１テーマに対する第１金額の資金提供の情報を受信する処理と、
前記第１金額を、前記第１テーマに対応付けられている前記第１ユーザを含む複数のユーザに分配する処理と、を実行する制御部を有し、
前記決定する処理は、前記第１ユーザに入力された資金調達の目的の文章から抽出した複数の名詞を、予め登録されている、上位概念の単語、類義語、または同義語に変換し、変換した各単語を繋げた文をテーマとして生成する処理を含む、情報処理装置。
【請求項１０】
第１ユーザの資金調達の目的、及び前記第１ユーザの情報の少なくとも一つに基づいて、複数のテーマを決定する処理と、
決定した前記複数のテーマのそれぞれに対して前記第１ユーザを対応付ける処理と、
前記複数のテーマに含まれる第１テーマに対して匿名組合を設定し、当該匿名組合に加入している第２ユーザにより指定された、前記複数のテーマに含まれる第１テーマに対する第１金額の資金提供の情報を受信する処理と、
前記第１金額を、前記第１テーマに対応付けられている前記第１ユーザを含む複数のユーザに分配する処理と、を実行する制御部を有する情報処理装置。
【請求項１１】
第１ユーザの資金調達の履歴、前記第１ユーザの貸し付けの返済履歴、前記第１ユーザが他のユーザとの間で行った金銭授受の履歴、前記第１ユーザの商品の売買履歴、及び前記第１ユーザの個人情報の少なくとも一つに基づいて、前記第１ユーザに対する金利、手数料、及び資金調達の目的に対する達成報告の少なくとも一つを含む資金調達の条件を決定する処理と、
前記第１ユーザの資金調達の目的、及び前記第１ユーザの情報の少なくとも一つに基づいて、複数のテーマを決定する処理と、
決定した前記複数のテーマのそれぞれに対して前記第１ユーザを対応付ける処理と、
第２ユーザにより指定された、前記複数のテーマに含まれる第１テーマに対する第１金額の資金提供の情報を受信する処理と、
前記第１金額を、前記第１テーマに対応付けられている前記第１ユーザを含む複数のユーザに分配する処理と、を実行する制御部を有する情報処理装置。
【請求項１２】
第１ユーザの資金調達の目的、及び前記第１ユーザの情報の少なくとも一つに基づいて、複数のテーマを決定する処理と、
決定した前記複数のテーマのそれぞれに対して前記第１ユーザを対応付ける処理と、
第２ユーザにより指定された、前記複数のテーマに含まれる第１テーマに対する第１金額の資金提供の情報を受信する処理と、
前記複数のテーマに含まれるテーマ毎の過去の回収率または収益率に基づいて、前記第１テーマに対応付けられている前記第１ユーザを含む複数のユーザに前記第１金額を分配する割合を決定する処理と、を実行する制御部を有する情報処理装置。
【請求項１３】
第１ユーザの資金調達の目的、及び前記第１ユーザの情報の少なくとも一つに基づいて、複数のテーマを決定する処理と、
決定した前記複数のテーマのそれぞれに対して前記第１ユーザを対応付ける処理と、
第２ユーザにより指定された、前記複数のテーマに含まれる第１テーマに対する第１金額の資金提供の情報を受信する処理と、
前記第１金額を、前記第１テーマに対応付けられている前記第１ユーザを含む複数のユーザに分配する処理と、
前記第１ユーザからの融資の返済が完了した場合、前記第１ユーザに所定の特典を付与する処理と、を実行する制御部を有する情報処理装置。
【請求項１４】
情報処理装置に、
第１ユーザの資金調達の目的、及び前記第１ユーザの情報の少なくとも一つに基づいて、複数のテーマを決定する処理と、
決定した前記複数のテーマのそれぞれに対して前記第１ユーザを対応付ける処理と、
第２ユーザにより指定された、前記複数のテーマに含まれる第１テーマに対する第１金額の資金提供の情報を受信する処理と、
前記第１金額を、前記第１テーマに対応付けられている前記第１ユーザを含む複数のユーザに分配する処理と、を実行させ、
前記決定する処理は、前記第１ユーザに入力された資金調達の目的の文章から抽出した複数の名詞を、予め登録されている、上位概念の単語、類義語、または同義語に変換し、変換した各単語を繋げた文をテーマとして生成する処理を含む、プログラム。
【請求項１５】
情報処理装置に、
第１ユーザの資金調達の目的、及び前記第１ユーザの情報の少なくとも一つに基づいて、複数のテーマを決定する処理と、
決定した前記複数のテーマのそれぞれに対して前記第１ユーザを対応付ける処理と、
前記複数のテーマに含まれる第１テーマに対して匿名組合を設定し、当該匿名組合に加入している第２ユーザにより指定された、前記複数のテーマに含まれる第１テーマに対する第１金額の資金提供の情報を受信する処理と、
前記第１金額を、前記第１テーマに対応付けられている前記第１ユーザを含む複数のユーザに分配する処理と、を実行させるプログラム。
【請求項１６】
情報処理装置に、
第１ユーザの資金調達の履歴、前記第１ユーザの貸し付けの返済履歴、前記第１ユーザが他のユーザとの間で行った金銭授受の履歴、前記第１ユーザの商品の売買履歴、及び前記第１ユーザの個人情報の少なくとも一つに基づいて、前記第１ユーザに対する金利、手数料、及び資金調達の目的に対する達成報告の少なくとも一つを含む資金調達の条件を決定する処理と、
前記第１ユーザの資金調達の目的、及び前記第１ユーザの情報の少なくとも一つに基づいて、複数のテーマを決定する処理と、
決定した前記複数のテーマのそれぞれに対して前記第１ユーザを対応付ける処理と、
第２ユーザにより指定された、前記複数のテーマに含まれる第１テーマに対する第１金額の資金提供の情報を受信する処理と、
前記第１金額を、前記第１テーマに対応付けられている前記第１ユーザを含む複数のユーザに分配する処理と、を実行させるプログラム。
【請求項１７】
情報処理装置に、
第１ユーザの資金調達の目的、及び前記第１ユーザの情報の少なくとも一つに基づいて、複数のテーマを決定する処理と、
決定した前記複数のテーマのそれぞれに対して前記第１ユーザを対応付ける処理と、
第２ユーザにより指定された、前記複数のテーマに含まれる第１テーマに対する第１金額の資金提供の情報を受信する処理と、
前記複数のテーマに含まれるテーマ毎の過去の回収率または収益率に基づいて、前記第１テーマに対応付けられている前記第１ユーザを含む複数のユーザに前記第１金額を分配する割合を決定する処理と、を実行させるプログラム。
【請求項１８】
情報処理装置に、
第１ユーザの資金調達の目的、及び前記第１ユーザの情報の少なくとも一つに基づいて、複数のテーマを決定する処理と、
決定した前記複数のテーマのそれぞれに対して前記第１ユーザを対応付ける処理と、
第２ユーザにより指定された、前記複数のテーマに含まれる第１テーマに対する第１金額の資金提供の情報を受信する処理と、
前記第１金額を、前記第１テーマに対応付けられている前記第１ユーザを含む複数のユーザに分配する処理と、
前記第１ユーザからの融資の返済が完了した場合、前記第１ユーザに所定の特典を付与する処理と、を実行させるプログラム。
【手続補正２】
【補正対象書類名】明細書
【補正対象項目名】０００５
【補正方法】変更
【補正の内容】
【０００５】
本開示の一実施形態に係る情報処理方法は、情報処理装置が、第１ユーザの資金調達の目的、及び前記第１ユーザの情報の少なくとも一つに基づいて、複数のテーマを決定する処理と、決定した前記複数のテーマのそれぞれに対して前記第１ユーザを対応付ける処理と、第２ユーザにより指定された、前記複数のテーマに含まれる第１テーマに対する第１金額の資金提供の情報を受信する処理と、前記第１金額を、前記第１テーマに対応付けられている前記第１ユーザを含む複数のユーザに分配する処理と、を実行し、前記決定する処理は、前記第１ユーザに入力された資金調達の目的の文章から抽出した複数の名詞を、予め登録されている、上位概念の単語、類義語、または同義語に変換し、変換した各単語を繋げた文をテーマとして生成する処理を含む。
【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
情報処理装置が、
第１ユーザの資金調達の目的、及び前記第１ユーザの情報の少なくとも一つに基づいて、複数のテーマを決定する処理と、
決定した前記複数のテーマのそれぞれに対して前記第１ユーザを対応付ける処理と、
第２ユーザにより指定された、前記複数のテーマに含まれる第１テーマに対する第１金額の資金提供の情報を受信する処理と、
前記第１金額を、前記第１テーマに対応付けられている前記第１ユーザを含む複数のユーザに分配する処理と、を実行し、
前記決定する処理は、前記第１ユーザに入力された資金調達の目的の文章から抽出した複数の名詞を、予め登録されている、上位概念の単語、類義語、または同義語に変換し、変換した各単語を繋げた文をテーマとして生成する処理を含む、情報処理方法。
【請求項２】
前記受信する処理は、
第３ユーザにより指定された、前記複数のテーマに含まれる第２テーマに対する第２金額の資金提供の情報を受信し、
前記分配する処理は、
前記第２金額を、前記第２テーマに対応付けられている前記第１ユーザを含む複数のユーザに分配して提供し、前記第２ユーザからの資金提供の情報に基づいて前記第１ユーザに分配された金額と、前記第３ユーザからの資金提供の情報に基づいて前記第１ユーザに分配された金額との合計額が前記第１ユーザにより指定された希望金額に到達した場合、前記第１ユーザに前記希望金額の資金を提供する、請求項１に記載の情報処理方法。
【請求項３】
前記決定する処理は、
前記第１ユーザの資金調達の目的、及び前記第１ユーザの情報に基づいて、複数のテーマを決定し、
前記第１ユーザの情報は、前記第１ユーザにより入力された前記第１ユーザの自己紹介文、及び前記第１ユーザの商品の取引履歴の少なくとも一つを含む、請求項１または２に記載の情報処理方法。
【請求項４】
前記第２ユーザにより入力された前記第２ユーザの自己紹介文、及び前記第２ユーザの商品の取引履歴の少なくとも一つに基づいて、前記複数のテーマのうち、前記第２ユーザに通知するテーマを決定する、請求項１から３のいずれか一項に記載の情報処理方法。
【請求項５】
第１ユーザの資金調達の目的、及び前記第１ユーザの情報の少なくとも一つに基づいて、複数のテーマを決定する処理と、
決定した前記複数のテーマのそれぞれに対して前記第１ユーザを対応付ける処理と、
第２ユーザにより指定された、前記複数のテーマに含まれる第１テーマに対する第１金額の資金提供の情報を受信する処理と、
前記第１金額を、前記第１テーマに対応付けられている前記第１ユーザを含む複数のユーザに分配する処理と、を実行する制御部を有し、
前記決定する処理は、前記第１ユーザに入力された資金調達の目的の文章から抽出した複数の名詞を、予め登録されている、上位概念の単語、類義語、または同義語に変換し、変換した各単語を繋げた文をテーマとして生成する処理を含む、情報処理装置。
【請求項６】
情報処理装置に、
第１ユーザの資金調達の目的、及び前記第１ユーザの情報の少なくとも一つに基づいて、複数のテーマを決定する処理と、
決定した前記複数のテーマのそれぞれに対して前記第１ユーザを対応付ける処理と、
第２ユーザにより指定された、前記複数のテーマに含まれる第１テーマに対する第１金額の資金提供の情報を受信する処理と、
前記第１金額を、前記第１テーマに対応付けられている前記第１ユーザを含む複数のユーザに分配する処理と、を実行させ、
前記決定する処理は、前記第１ユーザに入力された資金調達の目的の文章から抽出した複数の名詞を、予め登録されている、上位概念の単語、類義語、または同義語に変換し、変換した各単語を繋げた文をテーマとして生成する処理を含む、プログラム。